(57)【要約】【課題】簡素な構成でエアフィルターを自動清掃できる空気調和機を提供する。【解決手段】熱交換器（図示せず）の上流側に配されたフィルター装置１を有し、フィルター装置１は、一対の巻取り軸８と、一対の巻取り軸８間に亘って張設され、塵埃を捕捉するエアフィルター４と、巻取り軸８を駆動する巻取り駆動モーター７と、エアフィルター４の風上側に配され水平方向に長手方向を持つ吸入ノズル３と、吸入ノズル３に連通する吸引排気装置５とを有し、吸入ノズル３内に、吸入ノズル３の長手方向に巻回され駆動するフィルム３ｃを配し、フィルム３ｃに、エアフィルター４に付着した塵埃を掻き取る埃掻き取りパット３ｂと、埃掻き取りパット３ｂで掻き取られた塵埃を吸込む吸入口３ａとを備えたもので、空気調和機の基本性能を損なうことなく、エアフィルター４に付着した塵埃を、簡素な構成で、圧力損失が少なく、少ない吸い込み風量で確実に吸引できる。【選択図】図３
2008190836.tif 000002
【特許請求の範囲】
【請求項１】
熱交換器と、前記熱交換器の上流側に配されたフィルター装置を備え、前記フィルター装置は、一対の巻取り軸と、前記一対の巻取り軸間に亘って張設され、塵埃を捕捉するエアフィルターと、前記巻取り軸を駆動する巻取り駆動モーターと、前記エアフィルターの風上側に配され水平方向に長手方向を持つ吸入ノズルと、前記吸入ノズルに連通する吸引排気装置とを有し、前記吸入ノズル内に、前記吸入ノズルの長手方向に巻回され駆動するフィルムを配し、前記フィルムに、前記エアフィルターに付着した塵埃を掻き取る埃掻き取りパットと、前記埃掻き取りパットで掻き取られた塵埃を吸込む吸入口とを具備したことを特徴とする空気調和機。
【請求項２】
熱交換器に室内の空気を通す送風機を具備し、吸入ノズルを、前記送風機より下側に配設したことを特徴とする請求項１に記載の空気調和機。
【請求項３】
埃掻き取りパットは、フィルムの駆動方向と略直角をなす方向に長辺を有する長方形の形状を有することを特徴とする請求項１又は２に記載の空気調和機。
【請求項４】
吸入口は、フィルムの駆動方向と略直角をなす方向に長辺を有する長方形の形状を有することを特徴とする請求項１〜３のいずれか１項に記載の空気調和機。
【請求項５】
吸引排気装置を、吸入ノズルの端部に配設したことを特徴とする請求項１〜４のいずれか１項に記載の空気調和機。
【発明の詳細な説明】
【技術分野】
【０００１】
本発明は、エアフィルターの清掃を自動的に行うようにした空気調和機に関するものである。
【背景技術】
【０００２】
従来の一般的な空気調和機においては、熱交換器の上流側に、空気調和機の本体内部へ埃が侵入することを防ぐためのエアフィルターが設けられており、このエアフィルターは付着した塵埃を手で清掃できるように着脱自在に構成されている。このようなエアフィルターは、頻繁なメンテナンスが必要となるだけでなく、メンテナンスが行われるまでの間には、エアフィルターが除々に目詰まりしていき、その結果、熱交換器を通過する風量が低下し、空調能力が低下して消費電力の増大につながることとなる。
【０００３】
そこで、このようなエアフィルターのメンテナンスの手間を低減する目的で、エアフィルターの表面に沿って左右に移動可能で、エアフィルターに付着した塵埃を吸入する吸入ノズルを設けて、自動的にエアフィルターを清掃することができる空気調和機が提案されている（例えば、特許文献１参照）。
【０００４】
図５は、上記特許文献１に記載された従来の空気調和機に搭載されたフィルター装置の斜視図である。
【０００５】
図５において、従来の空気調和機のフィルター装置２１は、空気調和機本体（図示せず）に流入する空気中に含まれる塵埃を捕捉すると共に略Ｌ字状に湾曲したエアフィルター２５と、エアフィルター２５を支持するフィルター枠２２と、エアフィルター２５の上流側表面に沿って左右に移動可能で、しかもエアフィルター２５の断面形状に合わせて略Ｌ字状の吸入ノズル２４と、ワイヤー２８を介して吸入ノズル２４を左右に移動させるためのモーター２９と、吸い込みダクト２３を介して吸入ノズル２４に連通接続された吸引排気装置２６と、一端が吸引排気装置２６の排気側に接続され、他端が室外に開放した排気ダクト２７から構成されている。
【０００６】
吸入ノズル２４のエアフィルター２５に対向する側には、エアフィルター２５に摺接する吸入口（図示せず）が設けられている。
【０００７】
以上のように構成された従来の空気調和機の動作は、以下の通りである。
【０００８】
予め、吸入ノズル２４を左右いずれか一方の端部に寄せておき、定期的に、吸引排気装置２６及びモーター２９を駆動することにより、吸入口よりエアフィルター２５に付着した塵埃が吸引され、その塵埃は、吸い込みダクト２３を経て吸引排気装置２６に至り、排気ダクト２７を通して室外に排出されるとともに、吸入ノズル２４が他端側に移動することによりエアフィルター２５の全面を清掃することができる。
【特許文献１】特開２００４−２８３７０４号公報
【発明の開示】
【発明が解決しようとする課題】
【０００９】
しかしながら、前記従来の空気調和機の構成では、エアフィルター２５の前面で、Ｌ字型の吸入ノズル２４を左右に駆動する構成になっているため、構造が複雑になり、また吸入ノズル２４の寸法が長いために、吸入口から塵埃を吸引し、それを排出する吸引排気装置２６までの距離が長く且つ曲折したものとなり、圧力損失が大きく、吸入風量の低下や
コストの増大、また、動作音が大きくなるという課題があった。さらに、エアフィルター２５の湾曲部での塵埃を確実に吸入できないという課題があった。
【００１０】
本発明は、上記従来の課題を解決し、空気調和機の基本性能を損なうことなく、エアフィルターに付着した塵埃の自動清掃を、簡素な構成で、且つ少ない吸い込み風量でできるようにした空気調和機を提供することを目的とする。
【課題を解決するための手段】
【００１１】
上記従来の課題を解決するために、本発明の空気調和機は、熱交換器と、前記熱交換器の上流側に配されたフィルター装置を備え、前記フィルター装置は、一対の巻取り軸と、前記一対の巻取り軸間に亘って張設され、塵埃を捕捉するエアフィルターと、前記巻取り軸を駆動する巻取り駆動モーターと、前記エアフィルターの風上側に配され水平方向に長手方向を持つ吸入ノズルと、前記吸入ノズルに連通する吸引排気装置とを有し、前記吸入ノズル内に、前記吸入ノズルの長手方向に巻回され駆動するフィルムを配し、前記フィルムに、前記エアフィルターに付着した塵埃を掻き取る埃掻き取りパットと、前記埃掻き取りパットで掻き取られた塵埃を吸込む吸入口とを具備したもので、エアフィルターに付着した塵埃を、簡素な構成で、圧力損失が少なく抑えられ、少ない吸い込み風量で確実に吸い込むことができる。さらに、動作音も抑えられ、空気調和機の基本性能を損なうことなくエアフィルターの自動清掃を実現できる。
【発明の効果】
【００１２】
本発明の空気調和機は、空気調和機の基本性能を損なうことなく、エアフィルターに付着した塵埃の自動清掃を、簡素な構成で、且つ少ない吸い込み風量で確実に行なうことができる。
【発明を実施するための最良の形態】
【００１３】
第１の発明は、熱交換器と、前記熱交換器の上流側に配されたフィルター装置を備え、前記フィルター装置は、一対の巻取り軸と、前記一対の巻取り軸間に亘って張設され、塵埃を捕捉するエアフィルターと、前記巻取り軸を駆動する巻取り駆動モーターと、前記エアフィルターの風上側に配され水平方向に長手方向を持つ吸入ノズルと、前記吸入ノズルに連通する吸引排気装置とを有し、前記吸入ノズル内に、前記吸入ノズルの長手方向に巻回され駆動するフィルムを配し、前記フィルムに、前記エアフィルターに付着した塵埃を掻き取る埃掻き取りパットと、前記埃掻き取りパットで掻き取られた塵埃を吸込む吸入口とを具備したもので、エアフィルターに付着した塵埃を、簡素な構成で、圧力損失が少なく抑えられ、少ない吸い込み風量で確実に吸い込むことができる。さらに、動作音も抑えられ、空気調和機の基本性能を損なうことなくエアフィルターの自動清掃を実現できる。
【００１４】
第２の発明は、特に、第１の発明の熱交換器に室内の空気を通す送風機を具備し、吸入ノズルを、前記送風機より下側に配設したもので、熱交換器を通過する空気の通気抵抗が少なく抑えられ、空気調和機の基本性能を損なうことなくフィルターの自動清掃を実現できる効果が得られる。
【００１５】
第３の発明は、特に、第１または第２の発明の埃掻き取りパットは、フィルムの駆動方向と略直角をなす方向に長辺を有する長方形の形状を有するもので、塵埃の掻き取り面積を最大に確保できエアフィルターに付着した塵埃を確実に吸込む効果が得られる。
【００１６】
第４の発明は、特に、第１〜３のいずれか一つの発明の吸入口は、フィルムの駆動方向と略直角をなす方向に長辺を有する長方形の形状を有するもので、塵埃の吸引面積を最大に確保できエアフィルターに付着した塵埃を確実に吸込む効果が得られる。
【００１７】
第５の発明は、特に、第１〜４のいずれか一つの発明の吸引排気装置を、吸入ノズルの端部に配設したもので、簡素な構成で圧力損失が少なく抑えられ、少ない吸入風量によって塵埃を確実に吸い込む効果が得られる。さらに動作音を小さく抑えられる効果が得られる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機の正面図、図２は、同空気調和機の断面図（図１のＡ−Ａ断面）、図３は、同空気調和機に搭載されたフィルター装置の斜視図、図４は、同フィルター装置の吸入ノズルの裏面図（エアフィルター側から見た図）である。
【００２０】
図１〜図４において、本実施の形態における空気調和機の本体１１の内部には、熱交換器９と、送風機１０が配設されており、送風機１０の運転により、本体１１の前面から上面に渡って形成された複数の吸込口（図示せず）からは、室内の空気が吸込まれ、その空気中の塵埃は、前記吸入口と熱交換器９との間に設けた前記フィルター装置１で取り除かれる。
【００２１】
このフィルター装置１は、フィルター枠２と、帯状で、吸引される空気中に含まれる塵埃を捕捉するエアフィルター４と、前記エアフィルター４の風上側に配され、水平方向に長手方向を持ち前記エアフィルター４に付着した塵埃を吸い込む吸入ノズル３と、吸入ノズル３の一方の端部に接続され、前記吸入ノズル３を通して塵埃を吸込み、かつ外部に排出する吸引排気装置５を備えている。
【００２２】
前記吸入ノズル３は、吸入ノズル３の長手方向に巻き回されたフィルム３ｃを内蔵すると共に、フィルム３ｃを左右方向に駆動させるフィルム巻取りモーター６を備えている。フィルム３ｃには、フィルム３ｃの駆動方向（図４において左右方向）と略直角をなす方向に長辺を有する長方形の形状を有する吸入口３ａと、吸入口３ａの近傍に配されかつフィルム３ｃの駆動方向と略直角をなす方向に長辺を有する長方形の形状を有する埃掻き取りパット３ｂが設けられ、フィルム巻取りモーター６でフィルム３ｃを左右方向に駆動させることにより、吸入口３ａと、埃掻き取りパット３ｂを左右方向に移動するようにしている。
【００２３】
また、フィルター枠２の両端には、エアフィルター４を巻き取るための巻取り駆動モーター７と、巻取り軸８を配設している。
【００２４】
以上のように構成された本実施の形態における空気調和機の動作について説明する。
【００２５】
空気調和機の運転停止後に、吸引排気装置５が運転開始し、図４に示すように、予め、エアフィルター４の片側端に位置していた吸入口３ａ及び埃掻き取りパット３ｂが、フィルム巻取りモーター６によって、Ａの矢印方向に移動し、エアフィルター４の前部表面に付着した塵埃を、埃掻き取りパット３ｂで掻き取りながら吸入口３ａから吸取り、塵埃は、吸引排気装置５に吸入される。そして、吸入口３ａが、対向する片側端（図４中では、右端）まで移動したときに、フィルム巻取りモーター６を逆回転させれば、埃掻き取りパット３ｂ及び吸入口３ａは、初期の位置（左端）に戻る。
【００２６】
ここで、巻取り駆動モーター７が駆動し、巻取り軸８によりエアフィルター４を巻き回し、埃の付着した部分を吸入口３ａに位置させ再びフィルム巻取りモーター６により吸入
口３ａ及び埃掻き取りパット３ｂを、図４に示すようにＡの矢印方向に移動させる。再び、吸入口３ａが、対向する片側端まで移動したときに、フィルム巻取りモーター６を逆回転させ、吸入口３ａを初期の位置に戻す。以上の動作を繰り返すことにより、エアフィルター４の全面を自動で清掃することが可能となる。
【００２７】
ここで、図２に示すように、吸入ノズル３を、送風機１０より下側、すなわち空気の流速が比較的小さい位置に配置することにより、熱交換器９を通過する空気の通気抵抗を少なく抑えられ、空気調和機の基本性能を損なうことなくエアフィルター４の自動清掃を実現することが出来る。
【産業上の利用可能性】
【００２８】
以上のように、本発明にかかる空気調和機は、簡素な構成でかつ少ない吸込み風量により、エアフィルターに付着した塵埃を自動で清掃することができるもので、空気清浄機などの塵埃を集塵するエアフィルターを装着した機器等の用途にも適用できる。
【図面の簡単な説明】
【００２９】
【図１】本発明の実施の形態１における空気調和機の正面図
【図２】同空気調和機の断面図（図１のＡ−Ａ断面）
【図３】同空気調和機に搭載されたフィルター装置の斜視図
【図４】同フィルター装置の吸入ノズルの裏面図（エアフィルター側から見た図）
【図５】従来の空気調和機に搭載されたフィルター装置の斜視図
【符号の説明】
【００３０】
１  フィルター装置
３  吸入ノズル
３ａ  吸入口
３ｂ  埃掻き取りパット
３ｃ  フィルム
４  エアフィルター
５  吸引排気装置
７  巻取り駆動モーター
８  巻取り軸
【図１】
2008190836.tif 000003
【図２】
2008190836.tif 000004
【図３】
2008190836.tif 000005
【図４】
2008190836.tif 000006
【図５】
2008190836.tif 000007